(57)【要約】  【課題】ビニールハウスにおける外郭被覆材であるフィルム状のシートをビニールハウスの骨組みへ止着する手段として使用される２本のシート止着材同士を、或いはシート止着材とビニールハウスの骨組みパイプ材とを楔を用いて互いに交差状配置に連結する楔式連結金具を提供する。  【解決手段】受け口１０を形成する口縁部の押さえ爪１１は、その先端面が、受け口１０へ入れ込んだシート止着材３ａの両側壁３０、３０と面接触する角度に下向きに曲げられている。門形状部１４を形成する側板１５、１５には、門形状部１４へ入れ込まれ楔５に押し上げられるシート止着材３ｂ又はパイプ材４の肩部を抑える突起６、６が内向きに突き出されている。【選択図】図１
0003116845.tif 000002
【実用新案登録請求の範囲】
【請求項１】
連結金具本体を正面方向に見ると、上部にシート止着材を横方向から入れ込める幅寸の受け口が開口され、前記受け口を形成する両側の口縁部に、入れ込んだシート止着材を止める押さえ爪が設けられ、前記受け口に続く凹状部の下底に楔受け部が形成されており、側面方向に見ると、シート止着材又はパイプ材を通せる幅寸の門形状に形成され、前記受け口及び門形状部へ２本のシート止着材、又はシート止着材とパイプ材を入れ込んで互いに交差状配置とし、前記楔受け部へ入れ込んだ楔で前記シート止着材同士又はシート止着材とパイプ材を圧着させ連結する楔式の連結金具において、
前記受け口を形成する口縁部の押さえ爪は、その先端面が、受け口へ入れ込んだシート止着材の両側壁と面接触する角度に下向きに曲げられており、
前記門形状部を形成する左右の側板には、該門形状部へ入れ込まれ楔に押し上げられるシート止着材又はパイプ材の左右の肩部を抑える突起が内向きに突き出されていることを特徴とする、シート止着材の楔式連結金具。
【請求項２】
楔受け部は、連結金具本体を側面方向に見た場合に門形状をなす門形状部の左右の側板に、楔が共通に貫通する楔用孔として形成されていることを特徴とする、請求項１に記載したシート止着材の楔式連結金具。
【考案の詳細な説明】
【技術分野】
【０００１】
この考案は、簡易構造の温室として公知のいわゆるビニールハウスにおける外郭被覆材であるフィルム状のシート（以下、単にシートと云う。）をビニールハウスの骨組みへ止着する手段として使用される２本のシート止着材同士を、或いはシート止着材とビニールハウスの骨組みパイプ材とを楔を用いて互いに交差状配置に連結する楔式連結金具の技術分野に属する。
【背景技術】
【０００２】
従来、直交する２本のシート止着材、又は直交するシート止着材とビニールハウスの骨組みパイプ材とを互いに交差状配置に連結する楔式連結金具は、本出願人が種々考案し既に実用に供されている。その一例として、特許文献１〜４に開示された楔式連結金具は、連結金具本体が、連結金具本体を正面方向に見ると、上部にシート止着材を横方向から入れ込める深さ及び幅寸の受け口が上向きに開口され、前記受け口を形成する両側の口縁部に、入れ込んだシート止着材を止める押さえ爪が設けられ、前記受け口に続く凹状部の下底に楔受け部が形成されている。一方、連結金具本体を側面方向に見ると、シート止着材又はパイプ材を通せる幅寸の門形状に形成されている。この楔式連結金具は、受け口及び門形状部へ２本のシート止着材、又はシート止着材とパイプ材を入れ込んで交差状配置とし、２本のシート止着材、又はシート止着材とパイプ材を楔受け部へ入れ込んだ楔の迫り効果の力で押し上げ、押さえ爪で受け口のシート止着材の側壁を止めて圧着して連結される。
【０００３】
なお、シート止着材は、図面に示しているように、左右の両側壁３０、３０がハの字形状に傾いて開口部を幅狭に形成されたシート止着溝を有し、このシート止着溝を形成する両側壁の開口縁部に外向きのカール部が丸い筒状に形成された構成である。シートは、鋼線を台形波が交互に逆向きとなる連続波形状に成形加工したバネ性の強い止め線と共にシート止着溝の中へ押し込み止着される。
【０００４】
【特許文献１】特開２００３−２２２１０６号公報
【特許文献２】実用新案登録第２１０４３５７号公報
【特許文献３】意匠公報第６５８３０４号公報
【特許文献４】意匠公報第６４６７０３号公報
【考案の開示】
【考案が解決しようとする課題】
【０００５】
上記特許文献１〜４に開示されたシート止着材の楔式連結金具は、それぞれ有用であるが、勢い良く打ち込まれた楔の迫り効果で押されてシート止着材を止める受け口の押さえ爪に過度の負担が掛かり、シート止着材の横断面形状を歪ませ、又は押さえ爪自体が外方へ押し曲げられ、或いは受け口と一連に形成された凹状部が外方へ撓むなどして、連結力が低下しシート止着材等の連結状態がゆるむ問題がある。また、受け口へ入れ込んだシート止着材の側壁と接触する押さえ爪は線接触状態となるため、シート止着材を止める作用の安定性が悪いという問題も指摘された。
【０００６】
本考案の目的は、楔の迫り効果で押されたシート止着材又はパイプ材が過度の力で押され過ぎることを抑制し、受け口の口縁部に形成された押さえ爪、或いは受け口と一連に形成された凹状部に過度の力の負担が掛からない構成に改良したシート止着材の楔式連結金具を提供することである。
【０００７】
本考案の次の目的は、受け口の口縁部に形成された押さえ爪で受け口のシート止着材を止める作用の安定性が良いシート止着材の楔式連結金具を提供することである。
【課題を解決するための手段】
【０００８】
上記従来技術の課題を解決するための手段として、請求項１に記載した考案に係るシート止着材の楔式連結金具は、
連結金具本体２を正面方向に見ると、上部にシート止着材３ａを横方向から入れ込める幅寸の受け口１０が開口され、前記受け口１０を形成する両側の口縁部に、入れ込んだシート止着材３ａを止める押さえ爪１１、１１が設けられ、前記受け口１０に続く凹状部１２の下底に楔受け部１３が形成されており、側面方向に見ると、シート止着材３ｂ又はパイプ材４を通せる幅寸の門形状１４に形成され、前記受け口１０及び門形状部１４へ２本のシート止着材３ａ、３ｂ、又はシート止着材３ａとパイプ材４を入れ込んで互いに交差状配置とし、楔受け部１３へ入れ込んだ楔５で前記シート止着材３ａ、３ｂ同士又はシート止着材３ａとパイプ材４を圧着させ連結する楔式の連結金具１において、
前記受け口１０を形成する口縁部の押さえ爪１１、１１は、その先端面が、受け口１０へ入れ込んだシート止着材３ａの両側壁３０、３０と面接触する角度に下向きに曲げられており、
前記門形状部１４を形成する左右の側板１５、１５には、該門形状部１４へ入れ込まれ楔５に押し上げられるシート止着材３ｂ又はパイプ材４の左右の肩部を抑える突起６、６が内向きに突き出されていることを特徴とする。
【０００９】
請求項２の考案は、請求項１に記載したシート止着材の楔式連結金具において、
楔受け部１３’は、連結金具本体２’を側面方向に見た場合に門形状をなす門形状部１４’の左右の側板１５’、１５’に、楔５が共通に貫通する楔用孔１３’として形成されていることを特徴とする。
【考案の効果】
【００１０】
本考案に係るシート止着材の楔式連結金具１は、門形状部１４を形成する左右の各側板１５、１５に、楔５の迫り効果によって押し上げられる門形状部１４内のシート止着材３ｂ又はパイプ材４がむやみと迫り上ることを抑制する突起６を設けたので、楔５が勢い良く、又は無制限に打ち込まれても、受け口１０に止められたシート止着材３ａが過度の力で押され過ぎることは抑制され、押さえ爪１１及び凹状部１２に過度の力の負担が掛からない。また、受け口１０を形成する口縁部の押さえ爪１１の先端面は、受け口１０へ入れ込んだシート止着材３ａの両側壁３０、３０と面接触する角度に下向きに曲げられているので、同シート止着材３ａの側壁３０に作用する応力集中を緩和でき、適度に安定した摩擦力を発生するので、緩んだシート止着材３ａが横滑りすることを防ぐなど安定性が良い。
【考案を実施するための最良の形態】
【００１１】
受け口１０を形成する口縁部の押さえ爪１１は、その先端面が、受け口１０へ入れ込んだシート止着材３ａの両側壁３０、３０と面接触する角度に下向きに曲げられており、門形状部１４を形成する左右の側板１５、１５には、該門形状部１４へ通され楔５に押し上げられるシート止着材３ｂ又はパイプ材４の左右の肩部を抑える突起６が内向きに突き出されている。
【実施例１】
【００１２】
以下に、本考案に係るシート止着材の楔式連結金具１の実施例を図１〜図８に基づいて説明する。
図１〜図４は、楔式連結金具１の使用状態の実施例を示し、図５〜図７は、連結金具本体２の構造詳細をそれぞれ示している。この連結金具本体２は、正面方向（図５参照）に見ると、上部に、シート止着材３ａを斜め上から横方向へねじり込むようにして入れ込める幅寸（図３参照）の受け口１０が上向きに開口され、同受け口１０を形成する左右両側の口縁部は、入れ込んだシート止着材３ａの両側壁３０、３０を止める押さえ爪１１、１１が、その先端面を、受け口１０へ入れ込んだシート止着材３ａの両側壁３０、３０と面接触して止める角度に下向きに曲げた形状（図３、図５及び図６を参照）に設けられている。前記受け口１０に続く凹状部１２は十分に深く、その下底に楔５を入れ込む楔受け部１３が形成されている。一方、連結金具本体２を側面方向（図７参照）に見ると、シート止着材３ｂを通せる幅寸（図２参照）の門形状１４に形成されている。前記門形状部１４を形成する左右の側板１５、１５は、該門形状部１４へ入れ込まれた第２のシート止着材３ｂを、前記楔受け部１３へ通した楔５で押し上げ前記受け口１０に止めた第１のシート止着材３ａへ圧接する際に、同第２のシート止着材３ｂの両サイドをきっちりと拘束する。その両側板１５、１５において、第２のシート止着材３ｂの左右の肩部を抑える高さ位置に突起６、６が内向きに突き出すように設けられている。
【００１３】
本考案に係るシート止着材の楔式連結金具１も、図１〜図３に示すように、前記受け口１０及び門形状部１４へ２本のシート止着材３ａ、３ｂを入れ込んで互いに交差状配置とし、楔受け部１３へ入れ込んだ楔５で前記２本のシート止着材３ａ、３ｂ同士を圧着させ連結の目的を達する。その際、楔５の迫り効果によって押される門形状部１４内のシート止着材３ｂは、前記突起６、６でむやみと迫り上ることが抑制される（図２参照）。したがって、シート止着材３ａ、３ｂ同士はしっかりと圧着できる上に、たとえ楔５が作業者によって力任せに勢い良く、又は無制限に打ち込まれても、受け口１０に止められたシート止着材３ａが過度の力で押され過ぎることは抑制され、押さえ爪１１及び凹状部１２に過度の力の負担が掛からない。よって、押さえ爪１１が外方へ押し曲げられたり、或いは門形状部１４が外方へ撓んだりして連結力が低下し連結状態がゆるむおそれがない（図２参照）。
【００１４】
また、図３に示したように、受け口１０へ入れ込んだシート止着材３ａは、その両側壁３０、３０に押さえ爪１１、１１の先端面が面接触して止めるので、同シート止着材３ａの側壁３０に作用する応力集中を緩和でき、適度に安定した摩擦力を発生するので、緩んだシート止着材３ａが横滑りすることを防ぐなど安定性が良い。
【００１５】
なお、上記シート止着材３ａ、３ｂの楔式連結金具１は、２本のシート止着材３ａ、３ｂ同士を連結する他に、門形状部１４内へビニールハウスの骨組みパイプ材を入れ込み、受け口１０に入れ込んだシート止着材３ａと連結する態様も同様に実施できる。この場合の門形状部１４は、前記パイプ材を入れ込めるだけの幅寸に形成される。
【実施例２】
【００１６】
図８は、シート止着材３ａとビニールハウスの骨組みパイプ材４とを楔式連結金具１’で連結した使用状態の実施例を示している。本実施例の連結金具本体２’は、正面方向に見ると、上部にシート止着材３ａを斜め上から横方向へねじり込むようにして入れ込める幅寸の受け口１０’が上向きに開口され、同受け口１０’を形成する左右両側の口縁部に、入れ込んだシート止着材３ａの両側壁３０、３０を止める押さえ爪１１’、１１’が、その先端面を、受け口１０’へ入れ込んだシート止着材３ａの両側壁３０、３０と面接触して止める角度に下向きに曲げた形に設けられている。但し、受け口１０’に続く凹状部１２’は、シート止着材３ａが入り込む作業に必要な深さ、形状に形成されている。一方、連結金具本体２’を側面方向に見ると、パイプ材４を通せる幅寸の門形状１４’に形成されている。そして、前記門形状部１４’を形成する左右の側板１５’、１５’において、該門形状部１４’へ入れ込まれたパイプ材４を楔５で押し上げ、前記受け口１０’に止めたシート止着材３ａへ圧接するのに適切な位置に、楔５を共通に貫通させる楔用孔１３’が形成されている。更に、前記門形状部１４’の両側板１５’、１５’には、前記パイプ材４の左右の肩部を抑える高さ位置に突起６’、６’が内向きに突き出すように設けられている。
【００１７】
本実施例に係るシート止着材の楔式連結金具１’は、前記受け口１０’へシート止着材３ａを入れ込み、門形状部１４’へパイプ材４を入れ込んで互いに交差状配置とし、楔受け部１３’へ入れ込んだ楔５で前記シート止着材３ａとパイプ材４とを圧着させて連結する。その際、楔５の迫り効果によって押される門形状部１４’内のパイプ材４は、前記突起６’、６’でむやみと迫り上ることが抑制される。また、受け口１０’へ入れ込んだシート止着材３ａは、その両側壁３０、３０へ押さえ爪１１’、１１’の先端面が面接触して止める。かくして本実施例の楔式連結金具１も段落番号［００１３］と［００１４］に記載した上記実施例１の楔式連結金具１とほぼ同様の作用効果を発揮する。
【００１８】
以上に本考案を実施例に基づいて説明したが、本考案は図示した実施例に何ら限定されるものではなく、本考案の要旨及び目的を逸脱しない範囲において、種々の形態で実施し得る。
【図面の簡単な説明】
【００１９】
【図１】実施例１のシート止着材の楔式連結金具の使用状態を示す斜視図である。
【図２】図１のＡ−Ａ線矢視断面図である。
【図３】図１のＢ−Ｂ線矢視断面図である。
【図４】楔式連結金具の連結構造を分解して示した斜視図である。
【図５】連結金具本体の正面図である。
【図６】連結金具本体の平面図である。
【図７】連結金具本体の側面図である。
【図８】実施例２のシート止着材の楔式連結金具の使用状態を示す斜視図である。
【符号の説明】
【００２０】
１、１’      楔式連結金具
２、２’      連結金具本体
３ａ、３ｂ    シート止着材
４            パイプ材
５            楔
６、６’      突起
１０、１０’    受け口
１１、１１’    押さえ爪
１２、１２’    凹状部
１３、１３’    楔受け部（楔用孔）
１４、１４’    門形状部
１５、１５’    側板
３０            シート止着材の側壁
【図１】
0003116845.tif 000003
【図２】
0003116845.tif 000004
【図３】
0003116845.tif 000005
【図４】
0003116845.tif 000006
【図５】
0003116845.tif 000007
【図６】
0003116845.tif 000008
【図７】
0003116845.tif 000009
【図８】
0003116845.tif 000010